(57)【要約】  使い捨てパンツ型物品（１）のアレイのための使い捨てパンツ型物品（１）を製造するための方法であって、使い捨てパンツ型物品（１）のアレイが、異なるサイズを有する少なくとも第１のパンツ型物品（１）および第２のパンツ型物品（１）を含む、方法。この方法は、アレイにおけるパンツ型物品の数に対応するいくつかの異なる工程を含み、すべての工程は、連続弾性ウェブ（３２）、および非弾性またはより低弾性のウェブ（３３、３４）を含むストレッチボンディングされた積層体ウェブ（３１）を形成するステップと、ストレッチボンディングされた積層体ウェブ（３１）を含む原型物品（３６）からなる複合ウェブ（３５）を形成するステップと、複合ウェブ（３５）を原型物品（３６）間に形成された側方接合部（６ａ、６ｂ）において断ち切ることによって、複合ウェブ（３５）から個々のパンツ型物品（１）を分離するステップとを含む。  この方法に含まれている異なる工程においては、連続弾性ウェブ（３２）は、弾性特性に関して、異なる工程間で異なるが、ストレッチボンディングされた弾性積層体ウェブ（３１）のピッチ長さは、この方法のすべての連続工程において同じである。  また、この方法によって製造され得るパンツ型物品のアレイも開示される。
2021532934.tif 000002
【特許請求の範囲】
【請求項１】
吸収性コア（５）を含む吸収性パンツ型物品（１）のアレイなどのパンツ型物品（１）のアレイであって、パンツ型物品の前記アレイが、第１のパンツ型物品および第２のパンツ型物品を含み、前記第１のパンツ型物品および前記第２のパンツ型物品のそれぞれがシャーシ（９’、９”）を含み、前記シャーシが、前面パネル（３）、背面パネル（４）、および前記前面パネル（３）と前記背面パネル（４）との間の股部分（１０）を含み、前記前面パネル（３）が、ウエスト縁部（２１）および１対の側方縁部を有し、前記背面パネル（４）が、ウエスト縁部（２６）および１対の側方縁部を有し、前記前面パネル（３）および前記背面パネル（４）の前記側方縁部が、第１の側方継ぎ目（６ａ）および第２の側方継ぎ目（６ｂ）において接合されており、それによって、前記パンツ型物品（１）が、ウエスト開口（７）、ならびに第１のおよび第２の脚部開口（８）を有する、パンツ型物品（１）のアレイにおいて、
前記第１のパンツ型物品および前記第２のパンツ型物品がそれぞれ、前記シャーシ（９’、９”）の前記前面パネル（３）および／または前記背面パネル（４）の少なくとも一部にわたって前記第１の側方継ぎ目（６ａ）から前記第２の側方継ぎ目（６ｂ）に延びるストレッチボンディングされた弾性積層体ウェブ（３１）を含み、本明細書に開示されている身頃部分外周試験によって測定されるとき、前記アレイにおける前記第１のパンツ型物品の１０ニュートンでの身頃部分外周が、１０ニュートンでの前記アレイにおける前記第２のパンツ型物品の身頃部分外周よりも少なくとも２０％大きく、前記アレイにおける前記第１のパンツ型物品の３０ニュートンでの身頃部分外周が、３０ニュートンでの前記アレイにおける前記第２のパンツ型物品の身頃部分外周よりも少なくとも２０％大きく、または少なくとも２５％大きく、前記アレイにおける前記第１のパンツ型物品の９０ニュートンでの身頃部分外周が、９０ニュートンでの前記アレイにおける前記第２のパンツ型物品の身頃部分外周よりも１０％未満だけ大きいことを特徴とする、
パンツ型物品（１）のアレイ。
【請求項２】
前記ストレッチボンディングされた弾性積層体ウェブ（３１）が、平らな状態で見たとき、前記パンツ型物品の総表面積の２０％〜１００％、好ましくは２５％〜１００％、より好ましくは３０％〜１００％、最も好ましくは４０％〜１００％で前記シャーシの単独構成要素を構成している、請求項１に記載のパンツ型物品（１）のアレイ。
【請求項３】
前記第１のパンツ型物品および前記第２のパンツ型物品がそれぞれ、２ピースシャーシ（９’）を含む、請求項１または２に記載のパンツ型物品（１）のアレイ。
【請求項４】
前記第１のパンツ型物品および前記第２のパンツ型物品がそれぞれ、単体シャーシ（９”）を含む、請求項１または２に記載のパンツ型物品（１）のアレイ。
【請求項５】
パンツ型物品（１）のアレイのためのパンツ型物品（１）を製造するための方法であって、パンツ型物品（１）の前記アレイが、サイズの異なる第１のパンツ型物品（１）および第２のパンツ型物品（１）を含み、前記方法が、前記第１のパンツ型物品（１）を製造するための第１の連続工程および前記第２のパンツ型物品（１）を製造するための第２の連続工程を含み、前記第１の連続工程および前記第２の連続工程がそれぞれ、
連続弾性ウェブ（３２）を供給し、前記連続弾性ウェブ（３２）を機械方向（ＭＤ）に移動させるステップであって、前記連続弾性ウェブ（３２）が、前記機械方向（ＭＤ）に弾性的にストレッチ可能である、ステップと、
前記連続弾性ウェブ（３２）を前記機械方向（ＭＤ）にストレッチするステップと、
前記ストレッチされた連続弾性ウェブ（３２）を、前記ストレッチされた状態で保持しながら非弾性またはより低弾性のウェブ（３３、３４）にボンディングして、ストレッチボンディングされた弾性積層体ウェブ（３１）を形成するステップと、
物品構成要素の複合ウェブ（３５）を形成するステップであって、前記複合ウェブが、内部に配置された脚部開口（８）を有する連続ウェブであって相互連結された原型物品（３６）からなる連続ウェブを構成し、前記複合ウェブ（３５）が、シャーシ構成要素として前記ストレッチボンディングされた弾性積層体ウェブ（３１）を含む、ステップと、
前記機械方向（ＭＤ）に前記複合ウェブ（３５）に沿って延びる折り目線（Ｌ）に沿って、前記複合ウェブを折り畳むステップと、
前記折り畳まれた複合ウェブ（３５）において側方接合部（６ａ、６ｂ）を形成するステップと、
前記複合ウェブ（３５）を前記側方接合部（６ａ、６ｂ）において断ち切ることによって、前記複合ウェブ（３５）から個々のパンツ型物品（１）を分離するステップと
を含む方法において、
前記第１の連続工程における前記連続弾性ウェブ（３２）が、弾性特性に関して、前記第２の連続工程における前記連続弾性ウェブ（３２）と異なり、前記ストレッチボンディングされた弾性積層体ウェブ（３１）のピッチ長さが、前記第１の連続工程および前記第２の連続工程において同じであることを特徴とする、
方法。
【請求項６】
物品構成要素の前記複合ウェブ（３５）を形成するステップが、
前記機械方向（ＭＤ）における第１の連続ウェブとしての前記ストレッチボンディングされた弾性積層体ウェブ（３１’）を、前記第１の連続ウェブ（３１’）から前記機械方向（ＭＤ）に垂直な交差機械方向（ＣＤ）に距離を置いて配置された第２の連続ウェブ（３１”）と並んで移動させるステップであって、前記第１の連続ウェブ（３１’）と前記第２の連続ウェブ（３１”）との間に間隙がある、ステップと、
股材料（２）を前記第１の連続ウェブ（３１’）および前記第２の連続ウェブ（３１”）に付着することによって、前記第１の連続ウェブ（３１’）を前記第２の連続ウェブ（３１”）に間欠的に連結するステップであって、前記股材料（２）が、前記第１の連続ウェブ（３１’）と前記第２の連続ウェブ（３１”）との間の前記間隙を跨ぎ、前記第２の連続ウェブ（３１”）が、非弾性または弾性のウェブである、ステップと
を含む、請求項５に記載の方法。
【請求項７】
物品構成要素の前記複合ウェブ（３５）を形成するステップが、
前記ストレッチボンディングされた弾性積層体ウェブ（３１）を前記機械方向（ＭＤ）に移動させるステップと、
前記ストレッチボンディングされた弾性積層体ウェブ（３１）において脚部開口（８）を間欠的に切り取るステップと
を含む、請求項５に記載の方法。
【請求項８】
前記方法の前記連続工程のうちの１つにおいて使用される各連続弾性ウェブ（３２）が、
物理的構造、
ポリマー組成、
目付、
厚さ、
恒久歪、
弾性ウェブ／フィルムの前記機械方向（ＭＤ）における配向の程度
から選択される１つまたは複数の側面において、前記連続工程のうちの別の工程において使用される他の前記連続弾性ウェブ（３２）と異なっている、
請求項５から７のいずれか一項に記載の方法。
【請求項９】
前記弾性ウェブ（３２）が、ストレッチボンディング中、初期のストレッチされていない長さの少なくとも９０％、たとえば、初期のストレッチされていない長さの最大で１５０％まで、好ましくは、初期のストレッチされていない長さの最大で３００％まで、最も好ましくは、初期のストレッチされていない長さの最大で５００％までなど、前記機械方向（ＭＤ）にストレッチされる、請求項５から８のいずれか一項に記載の方法。
【請求項１０】
前記ストレッチされた弾性ウェブ（３２）が、前記非弾性またはより低弾性のウェブ（３３、３４）に、コーティング、吹付け、押出しまたはメルトブローイングを用いて、一方のまたは両方のウェブに塗布される接着剤を用いてボンディングされ、あるいは前記ストレッチされた弾性ウェブが、前記非弾性またはより低弾性のウェブに、超音波溶着またはサーモボンディングを用いてボンディングされる、請求項５から９のいずれか一項に記載の方法。
【請求項１１】
前記物品構成要素が、
吸収性のコアまたはコアインサート、
ウエスト弾性部材、
脚部弾性部材、
内側ライナ
取込層、
バリア層、
バリアカフ、および
ファスナ要素
のうちの１つまたは複数を含む、請求項５から１０のいずれか一項に記載の方法。
【請求項１２】
前記連続弾性ウェブ（３２）が、弾性フィルム、好ましくは、有孔弾性フィルムまたは微小多孔弾性フィルムなどの通気性のある弾性フィルムを含むか当該弾性フィルムから成り、および／または前記非弾性もしくはより低弾性のウェブが、カーディングされたボンディング不織布ウェブ、スパンボンド不織布ウェブ、またはクレーピングされた不織布ウェブなどの不織布ウェブである、請求項５から１１のいずれか一項に記載の方法。
【請求項１３】
前記連続弾性ウェブ（３２）が、弾性フィルムと不織布ウェブとを含む積層体である、請求項１２に記載の方法。
【請求項１４】
吸収性コアを含む吸収性パンツ型物品のアレイなどのパンツ型物品のアレイであって、第１のパンツ型物品および第２のパンツ型物品を含み、請求項５から１３のいずれか一項に記載の方法に従って製造され、前記第１のパンツ型物品が、前記第２のパンツ型物品とはサイズが異なる、パンツ型物品のアレイ。
【請求項１５】
本明細書に開示されている身頃部分外周試験によって測定されるとき、前記アレイにおける前記第１のパンツ型物品の１０ニュートンでの身頃部分外周が、１０ニュートンでの前記アレイにおける前記第２のパンツ型物品の身頃部分外周よりも少なくとも２０％大きく、前記アレイにおける前記第１のパンツ型物品の３０ニュートンでの身頃部分外周が、３０ニュートンでの前記アレイにおける前記第２のパンツ型物品の身頃部分外周よりも少なくとも２０％大きく、または少なくとも２５％大きく、前記アレイにおける前記第１のパンツ型物品の９０ニュートンでの身頃部分外周が、９０ニュートンでの前記アレイにおける前記第２のパンツ型物品の身頃部分外周よりも１０％未満だけ大きい、請求項１４に記載のパンツ型物品のアレイ。
【発明の詳細な説明】
【技術分野】
【０００１】
本開示は、サイズの異なるパンツ型物品のアレイに関する。パンツ型物品は、使い捨てパンツ型物品とすることができ、吸収性パンツ型物品であっても、または非吸収性パンツ型物品であってもよい。パンツ型物品のアレイのパンツ型物品は、本明細書に開示されているように、パンツ型物品のアレイのためのパンツ型物品を製造するための方法に従って製造され得る。この方法は、第１のサイズを有する第１のパンツ型物品を製造するための第１の連続工程、および第２のサイズを有する第２のパンツ型物品を製造するための第２の連続工程を含む。
【背景技術】
【０００２】
使い捨て吸収性パンツ型物品などのパンツ型物品の分野においては、快適性およびフィット性を高めるだけでなく、個別の下着のような視覚的外観をもつパンツ型物品を提供することが一般的には望ましい。男性と女性の生体構造の違い、異なる胴回りの使用者間の体型における違いなど、異なる使用者間の生体構造およびサイズの違いに起因して、幅広い範囲の異なるサイズからなる吸収性物品を提供することが必要である。これまでのところ、異なったサイズのパンツ型物品を物品のアレイ内で製造するには、異なる製作機械の使用が必要であり、そのことは、製作費用の増加につながっている。したがって、異なるサイズのパンツ型物品の製作において、特に費用効率に関する改善の必要性が引き続きある。また、快適性、フィット性、および個別の下着のような視覚的外観に関して、幅広い範囲の使用者に適合されており、費用効率の高いやり方で製造され得るパンツ型物品のアレイの必要性もある。
【発明の概要】
【発明が解決しようとする課題】
【０００３】
本開示の目的は、費用効率の高いやり方で製造され得る、使い捨てパンツ型物品などのパンツ型物品のアレイを提供することである。また、本開示の目的は、パンツ型物品のアレイの一部を形成するパンツ型物品を製造する効率的な方法を提供することでもある。これらのおよび他の目的は、独立請求項の特徴によって少なくとも一部が達成される。本開示の変形形態は、従属請求項に提示されている。
【課題を解決するための手段】
【０００４】
本明細書においては、吸収性コアを含む吸収性パンツ型物品のアレイなどのパンツ型物品のアレイが開示され、このパンツ型物品のアレイは、シャーシをそれぞれが含む第１のパンツ型物品および第２のパンツ型物品を含み、シャーシは、前面パネル、背面パネル、および前面パネルと背面パネルとの間の股部分を含み、前面パネルは、ウエスト縁部および１対の側方縁部を有し、背面パネルは、ウエスト縁部および１対の側方縁部を有し、前面パネルおよび背面パネルの側方縁部は、第１の側方継ぎ目および第２の側方継ぎ目において接合されており、それによって、パンツ型物品は、ウエスト開口、ならびに第１のおよび第２の脚部開口を有する。第１のパンツ型物品および第２のパンツ型物品はそれぞれ、シャーシの前面パネルおよび／または背面パネルの全部もしくは一部にわたって第１の側方継ぎ目から第２の側方継ぎ目に延びるストレッチボンディングされた弾性積層体ウェブ（ｓｔｒｅｔｃｈｂｏｎｄｅｄ  ｅｌａｓｔｉｃ  ｌａｍｉｎａｔｅ  ｗｅｂ）を含み、本明細書に開示されている身頃部分外周試験によって測定されるとき、アレイにおける第１のパンツ型物品の１０ニュートンでの身頃部分外周は、１０ニュートンでのアレイにおける第２のパンツ型物品の身頃部分外周よりも少なくとも２０％大きく、アレイにおける第１のパンツ型物品の３０ニュートンでの身頃部分外周は、３０ニュートンでのアレイにおける第２のパンツ型物品の身頃部分外周よりも少なくとも２０％大きく、または少なくとも２５％大きく、アレイにおける第１のパンツ型物品の９０ニュートンでの身頃部分外周は、９０ニュートンでのアレイにおける第２のパンツ型物品の身頃部分外周よりも１０％未満だけ大きい。
【０００５】
ストレッチボンディングされた弾性積層体ウェブは、平らな状態で見たとき、前記パンツ型物品の総表面積の２０％〜１００％、好ましくは２５％〜１００％、より好ましくは３０％〜１００％、最も好ましくは４０％〜１００％で前記シャーシの単独構成要素を構成し得る。
【０００６】
本明細書に提示されているように、ストレッチボンディングされた弾性積層体ウェブは、前面パネルおよび背面パネルのうちの一方または両方に施すことができ、また、股部分にも施すことができる。
【０００７】
本明細書においては、パンツ型物品のアレイにおいてパンツ型物品を製造するための方法も開示され、パンツ型物品のアレイは、サイズの異なる第１のパンツ型物品および第２のパンツ型物品を含む。方法は、第１のパンツ型物品を製造するための第１の連続工程および第２のパンツ型物品を製造するための第２の連続工程を含み、第１の連続工程および第２の連続工程はそれぞれ、
−  連続弾性ウェブを供給し、連続弾性ウェブを機械方向に移動させるステップであって、連続弾性ウェブが、機械方向に弾性的にストレッチ可能である、ステップと、
−  連続弾性ウェブを機械方向にストレッチするステップと、
−  ストレッチされた連続弾性ウェブを、ストレッチされた状態で保持しながら非弾性またはより低弾性のウェブにボンディングして、ストレッチボンディングされた弾性積層体ウェブを形成するステップと、
−  物品構成要素の複合ウェブを形成するステップであって、複合ウェブが、内部に配置された脚部開口を有する連続ウェブであって相互連結された原型（ｐｒｅｃｕｒｓｏｒ）物品からなる連続ウェブを構成し、複合ウェブが、シャーシ構成要素としてストレッチボンディングされた弾性積層体ウェブを含む、ステップと、
−  機械方向に複合ウェブに沿って中心に延びる折り目線に沿って、複合ウェブを折り畳むステップと、
−  折り畳まれた複合ウェブにおいて側方接合部を形成するステップと、
−  複合ウェブを側方接合部において断ち切ることによって、複合ウェブから個々のパンツ型物品を分離するステップと
を含む。本明細書に提示されているように、第１の連続工程における連続弾性ウェブは、弾性特性に関して、第２の連続工程における連続弾性ウェブと異なるが、ストレッチボンディングされた弾性積層体ウェブのピッチ長さは、第１の連続工程および前記第２の連続工程において同じである。
【０００８】
物品構成要素の複合ウェブを形成するステップは、
−  機械方向における第１の連続ウェブとしてのストレッチボンディングされた弾性積層体ウェブを、第１の連続ウェブから機械方向に垂直な交差機械方向に距離を置いて配置された第２の連続ウェブと並んで移動させるステップであって、第１の連続ウェブと第２の連続ウェブとの間に間隙がある、ステップと、
−  股材料を第１の連続ウェブおよび第２の連続ウェブに付着することによって、第１の連続ウェブを第２の連続ウェブに連結するステップであって、股材料が、第１の連続ウェブと第２の連続ウェブとの間の間隙を跨ぎ、第２の連続ウェブが、非弾性または弾性のウェブである、ステップと
を含む。
【０００９】
この種類の工程では、２部式シャーシが製造され、第１の連続ウェブおよび第２の連続ウェブは、パンツ型物品における前面パネルおよび背面パネルを形成し、相互連結する股材料は、前面パネルと背面パネルとの間の股パネルを形成する。股材料は、間欠的に付着され機械方向に離間されている別個の材料ピースとすることができる。脚部開口は、間欠的にあてがわれた股材料ピース間の空間内に自動的に形成される。必要に応じて、脚部開口の形状は、切断によって増強することができる。
【００１０】
第２の連続ウェブは、非弾性ウェブとすることができるが、好ましくは、第１の連続ウェブを形成するストレッチボンディングされた弾性積層体ウェブと同じピッチ長さ、またはそれよりも大きいピッチ長さを有する弾性ウェブである。同じピッチ長さにおいては、第２の連続ウェブは、第１の連続ウェブと同じ材料から作られていても、または第１の連続ウェブの材料と異なる材料から作られていてもよい。材料は、組成が異なっていても、および／または目付、厚さ、透過可能度などの物理特性が異なっていてもよい。不織布ウェブは、ボンディング／カーディングウェブ、スパンボンドウェブ、メルトブローイングウェブであるなど、種類が異なっていてもよい。第２の連続ウェブは、種々の弾性特性を有する弾性層など、第１の連続ウェブのものと異なる弾性層を有してもよく、および／または種々の不織布層など、第１の連続ウェブと異なる１つまたは複数の非弾性層を含んでいてもよい。
【００１１】
代替としては、股材料は、連続ウェブであり、脚部開口が、股材料をあてがった後のウェブに切り込まれる。
【００１２】
パンツ型物品が吸収性物品である場合、吸収性コアが、少なくとも各原型物品部分にあてがわれ、それにより、完全に組み立てられた物品に股パネルを形成することになる。好ましくは、吸収性コアは、コアの一部分が前面パネルおよび背面パネルのうちの一方または両方と重なり合ってあてがわれる。本明細書に提示されているように、吸収性コアは、別個に製造されたコアインサート（ｃｏｒｅ  ｉｎｓｅｒｔ）としてあてがうことができる。そのような場合においては、コアインサートは、間欠的にあてがわれた股材料を構成することができる。
【００１３】
代替としては、物品構成要素の複合ウェブを形成するステップは、
−  ストレッチボンディングされた弾性積層体ウェブを機械方向に移動させるステップと
−  ストレッチボンディングされた弾性積層体ウェブにおいて脚部開口を間欠的に切り取るステップと
を含むことができる。
【００１４】
この種類の工程により、本明細書に提示されている単体シャーシが製造される。
【００１５】
パンツ型物品が吸収性物品である場合、吸収性コアが、少なくとも各原型物品部分にあてがわれ、それにより、完全に組み立てられた物品に股部分または股パネルを形成することになる。好ましくは、吸収性コアは、コアの一部分が前面部分および背面部分もしくは前面パネルおよび背面パネルのうちの一方または両方と重なり合ってあてがわれる。本明細書に提示されているように、吸収性コアは、別個に製造されたコアインサートとしてあてがうことができる。
【００１６】
吸収性コアを含む複合ウェブにおいては、脚部開口は、吸収性コア間に形成される。当技術分野においては一般的であるように、複合ウェブにおける各脚部開口は、移動する複合ウェブにおいて２つの連続する原型物品の脚部縁部を形成する。
【００１７】
第１のおよび第２の連続工程に加えて、本明細書に開示されている方法は、方法における連続工程の数が、パンツ型物品のアレイにおける２＋ｎ個の異なるパンツ型物品に対応して２＋ｎになるように、１つまたは複数のさらなる連続工程を含むことができ、ｎは０でない整数である。１つまたは複数のさらなる連続工程はそれぞれ、第１のおよび第２の連続工程の工程ステップを含み、この方法に含まれる２＋ｎ個の連続工程のうちの別の連続工程によって製造されるあらゆる他のパンツ型物品とはサイズの異なるパンツ型物品を製造し、あらゆるさらなる連続工程における連続弾性ウェブは、弾性特性に関して、この方法におけるあらゆる他の連続工程における連続弾性ウェブとは異なり、原型物品のピッチ長さは、２＋ｎ個の連続工程において同じである。
【００１８】
各追加の連続工程は、本明細書に提示されている、パンツ型物品のアレイに含まれているパンツ型物品を製造するための方法の別の連続工程に従って製造される任意の他のパンツ型物品とはサイズの異なるパンツ型物品を製造する。
【００１９】
本明細書に提示されているように、整数ｎは、パンツ型物品のアレイにおける３〜７、３〜５、および３〜４個の異なるパンツ型物品に対応して、１〜５、たとえば１〜３または１〜２とすることができる。
【００２０】
パンツ型物品のアレイを製造するための方法の各工程について、異なる弾性特性を有する異なる連続弾性ウェブを選択することによって、異なるサイズのパンツ型物品が、機械に同じピッチ長さを有する弾性ウェブを使用して製造され得る。それによって、本明細書に開示されている方法の工程のうちの１つにおいて原型物品の機械方向における延びは、本明細書に開示されている方法に含まれている任意の他の工程の原型物品の機械方向における延びと同じ、または実質的に同じになる。これにより、同じ機械部品、および同じ設定または実質的に同じ設定が、方法の第１の、第２の、および任意のさらなる連続工程について使用可能になり、このことは、異なるサイズのパンツ型物品のアレイの一部である異なるパンツ型物品の製造が、同じタイプの製造装置により極めて単純化された費用効率の高い方式で製造され得ることを意味する。本明細書に開示されている方法によれば、パンツ型物品のアレイにおける製造されたパンツ型物品の異なるサイズについて、機械設定の変更、または異なる機械部品の投資および使用の必要なしに、第１の連続工程、第２の連続工程、および任意のさらなる連続工程を同じ製作機械において流すことすら可能である。
【００２１】
本明細書に開示されている方法においては、方法の連続工程のうちの１つにおいて使用される各連続弾性ウェブは、
−  物理的構造、
−  ポリマー組成、
−  目付、
−  厚さ、
−  恒久歪、
−  弾性ウェブ／フィルムの機械方向における配向の程度
から選択される１つまたは複数の側面において、連続工程のうちの別の工程において使用されるあらゆる他の連続弾性ウェブと異なっていてもよい。
【００２２】
連続弾性ウェブの物理的構造は、フィルム／不織布積層体など、２つ以上の層の弾性フィルム、弾性繊維ウェブ、または弾性積層体とすることができる。弾性フィルム／不織布積層体は、弾性ウェブと少なくとも１つの非弾性またはより低弾性のウェブとのストレッチボンディングされた積層体、ならびに弾性ウェブと少なくとも１つの非弾性またはより低弾性のウェブとの漸増的に活性化された積層体を含む。弾性フィルム／不織布積層体は、弾性フィルムと弾性フィルムの一方の表面または両方の表面にボンディングされる非弾性またはより低弾性の不織布ウェブとを含むことができる。ボンディングは、超音波溶着、サーモボンディング、押出ボンディングによって、または接着剤を使用することによって行うことができる。不織布／フィルム／不織布積層体など、多層積層体においては、異なる不織布層が、異なるボンディング技法を使用してフィルムにボンディングされ得る。
【００２３】
当技術分野において知られているように、弾性フィルムは、中央コア層と、中央コア層の一方の表面または両方の表面上の皮膚層とを含む層化された構造体を有することができる。コア層および皮膚層もしくは複数の皮膚層における同じポリマー組成、ならびに／または弾性フィルムの同じ厚さにおいては、本明細書に開示されている方法の異なる工程において使用される弾性フィルムは、コア層の厚さに対する皮膚層または複数の皮膚層の厚さの関係が異なっていてもよい。
【００２４】
本明細書に開示されている弾性ウェブは、少なくとも機械方向に弾性であり、また交差機械方向にも弾性とすることができる。完成したパンツ型物品においては、機械方向は、物品の幅方向に対応し、交差機械方向は、物品の長さ方向に対応する。
【００２５】
本明細書に開示されている方法においては、弾性ウェブは、ストレッチボンディング中、初期のストレッチされていない長さの少なくとも９０％、たとえば、初期のストレッチされていない長さの最大で１５０％まで、好ましくは、初期のストレッチされていない長さの最大で３００％まで、最も好ましくは、初期のストレッチされていない長さの最大で５００％までなど、機械方向にストレッチすることができる。
【００２６】
本明細書に開示されている方法の工程においては、ストレッチされた弾性ウェブは、少なくとも１つの非弾性またはより低弾性のウェブに、コーティング、吹付け、押出しまたはメルトブローイングを用いて、一方のまたは両方のウェブに塗布される接着剤を用いてボンディングされ得、あるいはストレッチされた弾性ウェブは、非弾性またはより低弾性のウェブに、超音波溶着またはサーモボンディングを用いてボンディングされる。
【００２７】
本明細書に開示されているパンツ型物品においては、物品構成要素は、
−  吸収性コアまたは吸収性インサート、
−  ウエスト弾性部材、
−  脚部弾性部材、
−  内側ライナ
−  取込層、
−  バリア層、
−  バリアカフ、および
−  ファスナ要素
のうちの１つまたは複数を含むことができる。
【００２８】
本明細書に開示されている方法においては、連続弾性ウェブは、弾性フィルム、好ましくは、有孔弾性フィルムまたは微小多孔弾性フィルムなど、通気性のある弾性フィルムとすることができる。非弾性またはより低弾性のウェブは、カーディングされたボンディング不織布ウェブ、スパンボンド不織布ウェブ、またはクレーピングされた不織布ウェブなどの不織布ウェブとすることができる。
【００２９】
また、本明細書においては、第１のパンツ型物品および第２のパンツ型物品を含むパンツ型物品のアレイも開示され、パンツ型物品のアレイは、本明細書に開示されている方法に従って製造され得、第１のパンツ型物品は、第２のパンツ型物品のものとサイズが異なる。本明細書に開示されているパンツ型物品のアレイは、２＋ｎ個の異なる種類のパンツ型物品を含むことができ、ｎは、１〜５、または１〜３、または１〜２など、０でない整数である。
【００３０】
本明細書に開示されているパンツ型物品は、好ましくは、使い捨て吸収性物品、すなわち、吸収性コアを含む物品である。
【００３１】
本明細書に提示されているように、本明細書に開示されているパンツ型物品のアレイは、少なくとも第１のおよび第２の物品を含む。本明細書に開示の試験方法に従って測定される場合、第１の物品の１０ニュートンでの外周は、１０ニュートンでの第２の物品の外周よりも少なくとも２０％大きくてよい。したがって、第１の物品は、第２の物品よりも大きいサイズを有する。
【００３２】
さらには、本明細書に開示の試験方法に従って測定される場合、第１の物品の３０Ｎにおける外周は、第２の物品の３０Ｎにおける外周よりも少なくとも２０％大きくても、または少なくとも２５％大きくてもよい。したがって、第１の物品は、第２の物品よりも大きいサイズを有する。
【００３３】
さらには、本明細書に開示の試験方法に従って測定される場合、第１の物品の９０Ｎにおける外周は、第２の物品の９０Ｎにおける外周よりも１０％未満だけ大きく、たとえば５％未満だけ大きくてよい。この測定により、本明細書に開示されている方法に従って製造される物品のアレイにおける異なるパンツ型物品における材料は、ウエスト外周の最大延びが、第１のおよび第２のパンツ型物品について同じオーダーにあるとき、機械方向において同じピッチ長さ、または実質的に同じピッチ長さを有する弾性ウェブ材料により製造されていることが示される。
【００３４】
この文脈においては、弾性材料は、本明細書に指定の弾性試験において、材料が３０％の伸長を受けた後、１０％未満の弛緩後の恒久的伸長を有する材料と定義される。
【００３５】
非弾性材料は、弾性材料の定義内に入らない材料である。したがって、本明細書に使用される非弾性材料は、ストレッチ可能であっても、またはストレッチ不可能であってもよい材料である。ストレッチ可能な非弾性材料の場合においては、材料は、弾性試験に従って決定される３０％の伸長を受けた後、１０％超のストレッチおよび弛緩後の恒久的伸長を有する。本明細書に開示されているストレッチボンディングされた積層体において使用される非弾性またはより低弾性の材料は、弾性試験に従って決定される３０％の伸長を受けた後、１０％未満のストレッチおよび弛緩後の恒久的伸長を有する。
【００３６】
ストレッチボンディングされた弾性積層体ウェブのピッチ長さは、機械方向において測定され、機械方向における単一の原型パンツ型物品の延ばされたストレッチボンディングされた積層体ウェブの長さである。本明細書に開示されるパンツ型物品は、交差機械方向と平行なそれらの長さ方向、および機械方向と平行なそれらの幅方向により製造される。
【００３７】
本明細書に定義されているように、アレイは、市販される、および／または一緒に陳列されるように意図されている物品またはパッケージの組である。パンツ型物品のアレイは、構成、外観、および機能などの１つまたは複数の側面が類似していることによって種類は互いに関連しているものの、たとえば、異なるサイズを有する、特定の性別用に設計されている、吸収性能が異なっているなどによって互いに異なっているパンツ型物品の組である。本明細書に開示されているパンツ型物品のアレイは、構成が同じまたは類似しているものの、サイズが異なっている少なくとも２つのパンツ型物品を含む。
【００３８】
本明細書に使用される「吸収性物品（ａｂｓｏｒｂｅｎｔ  ａｒｔｉｃｌｅ）」が意味するものは、尿、血液、および軟便排泄物などの体液を吸収する、または吸収するようになされている物品である。
【００３９】
吸収性物品は、セルロース綿毛パルプ、組織層、極めて吸収性の高いポリマー（超吸収剤）、ヒドロゲルフォーム材料を含む吸収性フォーム材料、または吸収性不織布材料など、排出された体外老廃物を吸収するのに適している任意の従来の材料を含むことができる吸収性コアを備える。吸収性コアは、硬化要素、成形要素、結合剤などの非吸収性成分を含むことができる。また、様々なタイプの液体受理要素および液体分散要素がコアの中に含まれていてもよい。
【００４０】
さらには、吸収性物品は、本明細書においては使用者の皮膚に向くように意図されているコアの側の吸収性コアをカバーするトップシートとも呼ばれる液体透過性内側ライナ、および使用者の衣類に向くように意図されているコアの側の吸収性コアをカバーする液体不透過性バックシートをさらに備えることができる。液体透過性トップシートは、不織布材料を含む、または不織布材料で構成され得る。他の適切なトップシート材料には、トウ繊維、多孔フォーム、開口付きプラスチックフィルムおよび積層体、ならびにそのような材料の組合せが含まれる。トップシート材料として最良に適している材料は、皮膚に対して柔らかくて刺激性がなく、体液が染み込みやすく、低リウェット性を示す。
【００４１】
液体不透過性バックシートは、薄いプラスチックフィルム、たとえば、ポリエチレンまたはポリプロピレンのフィルム、液体不浸透性材料でコーティングされた不織布材料、液体透過に耐える疎水性不織布材料、またはプラスチックフィルムと不織布との積層体で構成され得る。バックシート材料は、蒸気を吸収性体から逃すことができるように通気性があるにもかかわらず、液体がバックシート材料を通過しないようにすることができる。
【００４２】
トップシートおよびバックシートは、たとえば接着剤ボンディング、糊付け、または熱もしくは超音波による溶着によって、互いに連結することができる。さらには、トップシートおよび／またはバックシートは、接着剤、熱ボンディング、溶着、ニードリングなど、当技術分野において知られている任意の方法によって吸収性コアに付着することができる。
【００４３】
吸収性コアは、別個に製造された吸収性インサートの形態で、本明細書に開示されているパンツ型吸収性物品にあてがうことができる。吸収性インサートは、トップシートとバックシートとの間に封入された吸収性コアを含むことができる。トップシートおよびバックシートは、吸収性コアの範囲を越えて外向きに延びることができ、吸収性コアの縁部の外側に互いに付着し得る。代替としては、バックシートは、吸収性コアの衣類に向く側にあてがうことができ、その後、コアおよびバックシートは、トップシート材料の中に包み込むことができる。吸収性インサートは、当技術分野において知られているように、流体取込層、液体分散層、形状安定化用構成要素、弾性要素、バリア要素など、さらなる構成要素を含むことができる。
【００４４】
本明細書に開示されているパンツ型物品は、単体シャーシを有する種類であっても、または２部式シャーシを有する種類であってもよい。
【００４５】
単体シャーシは、第１のウエスト開口縁部から物品の前面部分、物品の股部分、および物品の後面部分を通って第２のウエスト開口縁部まで、パンツ型物品の長さ方向に途切れることなく延びている。単体シャーシは、前面パネルと、背面パネルと、相互連結する股パネルとを含み、本明細書に開示されているパンツ型物品のアレイを形成するための方法の連続工程で製造されるストレッチボンディングされた積層体から完全にまたは部分的に形成される。単体シャーシの少なくとも１つの層は、第１のウエスト開口縁部から第２のウエスト開口縁部まで連続的に延びている。
【００４６】
２部式シャーシは、組み立てられたパンツ型物品における前身頃パネルおよび後身頃パネルを形成する、ウェブ材料からなる２つの平行な連続ストリップをまずは製作することによって製造され得る。ストリップは、ストリップ間の間隙と互いに平行に送り出され、積層化された弾性ウェブ材料からなるストリップ間の間隙を跨ぐ股材料をあてがうことによって間欠的に連結される。股材料は、本明細書に開示されているように、吸収性インサートとすることができる。ウェブ材料からなるストリップのうちの少なくとも一方は、弾性ウェブ材料であり、好ましくは、本明細書に開示されているストレッチボンディングされた積層化弾性ウェブ材料である。
【００４７】
本明細書に開示されているストレッチボンディングされた積層体は、スパンボンド、エアレイド、ウェットレイド、カーディング、エレクトロスピンニング、またはメルトブローイングされた不織布など、不織布材料層またはウェブを含むことができる。不織布材料は、任意の適切な技法、たとえばニードリング、水流交絡、超音波溶着、またはサーモボンディングによってボンディングされ得る。
【００４８】
本明細書に使用される不織布材料の繊維は、人造繊維、天然繊維、または人造繊維と天然繊維との混合物とすることができる。人造繊維には、ポリオレフィン、ポリエステル、ポリアクリレートなど、単成分、二成分、および多成分のポリマー繊維、ならびにビスコース繊維およびモダル繊維などの再生繊維が含まれる。天然繊維は、例として、パルプ繊維、綿繊維、フラックス（ｆｌａｘ）、ヘンプ（ｈｅｍｐ）などのセルロース繊維である。
【００４９】
本明細書に開示されているパンツ型物品のアレイのパンツ型物品は、ウエスト開口の全部または一部に沿って、弾性ウエスト機能部を有することができる。弾性ウエスト機能部は、物品構成要素の複合ウェブにおいて１つまたは複数の弾性要素によって形成され得る。弾性要素または複数の弾性要素は、物品構成要素の複合ウェブの外側縁部の一方または両方に沿って付着され、その外側縁部は、組み立てられたパンツ型物品のウエスト開口において配置されている。弾性ウエスト要素または複数の弾性ウエスト要素は、本明細書に開示されている方法における工程で形成されるストレッチボンディングされた弾性積層体の中に組み込まれていてもよく、またはストレッチボンディングされた弾性積層体を形成した後にあてがわれてもよい。さらには、弾性要素または複数の弾性要素は、ストレッチボンディングされた弾性積層体ウェブ内の折り目の内側に配置されてもよく、それにより、弾性要素または複数の弾性要素は、折り目で囲まれることになる。
【００５０】
代替としては、弾性要素は、内側または外側の不織布層など、物品構成要素の複合ウェブの一部である材料の別のウェブでカバーすることも、もしくは別のウェブに付着することもでき、または物品構成要素の複合ウェブの構成要素として付着される別個に製造されたウエストバンドの形態で設けることもできる。ウエスト弾性要素は、ウエスト縁部における弾性ひだ付け力（ｅｌａｓｔｉｃ  ｇａｔｈｅｒｉｎｇ  ｆｏｒｃｅ）に寄与するように、張力がかけられた状態で付着されることが好ましい。
【００５１】
「弾性要素（ｅｌａｓｔｉｃ  ｅｌｅｍｅｎｔ）」という用語が意味するものは、弾性撚り糸、弾性糸、または弾性バンドなど、細長い弾性要素である。弾性要素における弾性材料は、天然ゴムもしくは合成ゴム、熱可塑性ポリウレタンなどの熱可塑性エラストマー、またはスチレンブロックコポリマーもしくはスパンデックスとも呼ばれるエラステイン（ポリウレタン／ポリ尿素コポリマー）など、任意の適切な弾性材料とすることができる。弾性要素は、商標名「ＬＹＣＲＡ」の下で入手可能なエラステインタイプとすることができるが、任意の適切な弾性糸が使用可能である。糸は、約８０〜１２００ｄｔｅｘの線状質量密度ｄｔｅｘを有することができる。ウエスト弾性部、脚部弾性部、および弾性バリアなどの弾性機能部を製造するための本明細書に開示されている方法において、弾性要素が使用され得る。
【００５２】
側方接合部は、パンツ型物品の前面部分を後面部分に連結し、それによって、原型パンツ型物品は、ウエスト開口および脚部開口を有するパンツに形成される。通常は、側方接合部は、パンツ型物品の使用中、使用者の臀部に配置されるように意図されているが、物品のより前面に側方接合部を配置することも知られている。側方接合部は、パンツ型物品を履いている最中、および着用している最中に生じる張力に側方接合部がもちこたえることができるように、ただしパンツ型物品を脱ぐとき、または物品の交換の必要があるかどうかを確認するために、調整された形で引き裂く、または開くことができるように設計されていることが好ましい。後の例においては、側方接合部は、好ましくは、当技術分野において知られているように、再閉可能な接合部であることが好ましい。
【００５３】
側方接合部は、個々の原型物品間の単一の幅広の接合部として、本明細書に開示されている方法の工程で製造され得、その接合部は、原型物品からなる連続ウェブから、完成したパンツ型物品を分離するとき、２部に分割される。代替としては、２つの別個の側方接合部が、個々の原型物品間に並んで形成され得、その後、原型パンツ型物品からなる連続ウェブは、２つの側方接合部間で断ち切られる。
【００５４】
非弾性またはより低弾性のウェブもしくは複数のウェブは、熱可塑性材料を含むことができる。非弾性またはより低弾性のウェブもしくは複数のウェブは、典型的には、パンツ型物品において、接合部および継ぎ目の中に組み込まれていることになる。概して、非弾性またはより低弾性のウェブもしくは複数のウェブは、繊維状の、不織布ウェブであることが好ましい場合がある。不織布ウェブは、熱溶着工程によって、または超音波溶着工程によって溶着できることが極めて望ましい。不織布ウェブにおいて使用するのに適切なポリマーの例は、ポリエチレン、ポリプロピレン、および他のポリオレフィンホモポリマーおよびコポリマー、ならびにポリエステルである。溶着可能な不織布ウェブは、高い熱可塑性成分含有量を有し、好ましくは、熱可塑性繊維を少なくとも５０％、より好ましくは、熱可塑性繊維を少なくとも８０％含んでいる。
【００５５】
弾性ウェブは、好ましくは、開口付きまたは微小多孔弾性フィルムなど、通気性の弾性フィルムである。弾性フィルムは、２０ｇ／ｍ２から８０ｇ／ｍ２の間、好ましくは、２０ｇ／ｍ２から６０ｇ／ｍ２の間の目付を有する。弾性ウェブは、任意の適切な弾性ポリマー、天然ポリマー、または合成ポリマーとすることができる。弾性ウェブに有用な材料のいくつかの例は、低結晶性ポリエチレン、メタロセン触媒による低結晶性ポリエチレン、エチレンビニルアセテートコポリマー（ＥＶＡ：  ｅｔｈｙｌｅｎｅ  ｖｉｎｙｌ  ａｃｅｔａｔｅ  ｃｏｐｏｌｙｍｅｒ）、ポリウレタン、ポリイソプレン、スチレン／イソプレン／スチレン（ＳＩＳ）、スチレン／ブタジエン／スチレン（ＳＢＳ）などのブタジエン−スチレンコポリマー、スチレンブロックコポリマー、またはスチレン／エチレン−ブタジエン／スチレンブロックコポリマーである。これらのポリマーの配合物、ならびに他の改質エラストマーまたは非エラストマー材料もまた使用することができる。ストレッチボンディングされた弾性積層体ウェブの全目付は、好ましくは、４０ｇ／ｍ２から１００ｇ／ｍ２の間、より好ましくは、９０ｇ／ｍ２以下である。
【００５６】
本発明については、非限定例を用いておよび添付の図面を参照して、本明細書において以降、さらに説明する。
【図面の簡単な説明】
【００５７】
【図１ａ】２部式シャーシを含む例示的なパンツ型物品の正面図である。
【図１ｂ】単体シャーシを含む例示的なパンツ型物品の正面図である。
【図２】ストレッチボンディングされた積層体を製造するための工程の概略図である。
【図３】２部式シャーシを含むパンツ型物品を製造するための工程の概略図である。
【図４】単体シャーシを含むパンツ型物品を製造するための工程の概略図である。
【図５】パンツ型物品の延ばされている状態および弛緩されている状態でウエスト部分の外周を決定するために、ならびにパンツ型物品の延ばされている状態で身頃部分の外周を決定するために使用される試験装置を示す図である。
【図６】２つの異なる被試験パンツ型物品間の比較による試験グラフである。
【発明を実施するための形態】
【００５８】
図面が概略的であり、材料層などの個々の構成要素が必ずしも縮尺通りに描かれていないことを理解されたい。図に示されている使い捨てパンツ型吸収性物品は、ほんの一例として与えられているにすぎず、本明細書に開示されている本発明に限定するものと見なすべきではない。本明細書に提示されているように、異なるサイズのパンツ型物品を製造する方法は、非吸収性物品、および再使用可能なパンツ型物品、または限られた回数、洗濯可能で再使用可能である物品にも適用可能である。洗濯にもちこたえることができる再使用可能な物品は、非吸収性パンツ型物品、たとえば、吸収性インサートと一緒に使用するようになされているパンツ型物品とすることができる。
【００５９】
さらには、パンツ型物品の構成は、図に関連して示されているものと異なっていてもよい。本明細書に提示されているように、単体シャーシの代替の構成は、単一の連続外側カバーシート、および／または連続内側ライナ、ならびに弾性の前面パネルまたは背面パネルをそれぞれ形成するようにシャーシの前面部および背面部のうちの一方または両方に接合される弾性パネルウェブを含むことができる。
【００６０】
図に示されているパンツ型物品は、簡略化された物品であり、それらは、前面パネル、背面パネルのうちの１つまたは複数上の脚部開口に、および股部分内に配置された弾性要素により増強され得ることを理解すべきである。さらなる弾性化部は、たとえばバリアカフの形態で設けることができる。また、図１ａおよび図１ｂに関連して開示されるウエスト弾性部は、オプションであり、または当技術分野において知られている任意の他のタイプの弾性ウエスト機能部によって置き換え可能であることも理解されたい。本明細書に提示されているように、側方継ぎ目は、再閉可能な側方継ぎ目とすることができ、パンツ型物品には、側方継ぎ目の再閉可能性をもたらすファスナ要素を設けることができる。
【００６１】
図１ａに示されているパンツ型吸収性物品１は、長手方向Ｙおよび短手方向Ｘを有し、前面パネル３と、背面パネル４と、パンツ型吸収性物品１の股部分１０の中に主に位置決めされているコアインサート２とを有する２ピースシャーシ９’を備える。コアインサート２は、前面パネル３と背面パネル４との間の間隙を跨ぎ、端部部分１１が前面パネル３および背面パネル４を越えた状態で延びており、端部部分１１において前面パネル３および背面パネル４の内部側に連結されている。本明細書に提示されているように、コアインサート２は、体液を吸収するための吸収性コア５を含む、別個に製造された構成要素である。前面パネル３は、ウエスト縁部２１および１対の側方縁部を有し、背面パネル４は、ウエスト縁部２６および１対の側方縁部を有する。前面パネル３および背面パネル４の側方縁部は、側方継ぎ目６ａ、６ｂにおいて接合され、それによって、ウエスト開口７および２つの脚部開口８を有するパンツ型物品１が形成される。
【００６２】
図１ａに概略的に示されているパンツ型吸収性物品１は、延ばされている状態で示されており、完全に組み立てられ、使用の準備が整っている。パンツ型吸収性物品１は、パンツおむつ、生理用パンツ、または失禁用パンツとすることができ、成人の女性または男性の使用者の使用に適合され得る。
【００６３】
前面パネル３および背面パネル４のうちの少なくとも一方、好ましくは前面パネル３と背面パネル４の両方は、本明細書に開示されているパンツ型物品のアレイを形成するための方法の連続工程で製造されるストレッチボンディングされた積層体から形成される。
【００６４】
諸図面の図１ｂにおいては、成人の女性または男性の使用者のための物品など、パンツ型吸収性物品１の第２の例が、組み立てられ使用の準備が整っている状態で、概略的に示されている。図１ａと図１ｂにおける吸収性物品間の差は、図１ｂにおける吸収性物品１は、単体シャーシ９”を有することであり、すなわち、前面パネル３および背面パネル４は、ウェブ材料を含み、このウェブ材料は、パンツ型吸収性物品１の少なくとも長手方向Ｙに連続しており、前面パネル３および背面パネル４を相互連結する股部分１０を含み、これらの領域と一体に形成されている。図１ｂにおけるパンツ型物品においては、前面パネル３と、股部分１０と、背面パネル４との間の明確な境界はない。
【００６５】
前面パネル３、背面パネル４、および相互連結する股部分１０を含む単体シャーシ９”は、本明細書に開示されているパンツ型物品のアレイを形成するための方法の連続工程で製造されるストレッチボンディングされた積層体から完全にまたは部分的に形成される。
【００６６】
図１ａの例における前面パネル３および背面パネル４のうちの少なくとも一方、好ましくはその両方は、２つの繊維状の外側層間に挟まれた弾性フィルムの積層体など、本明細書において開示されているストレッチボンディングされた弾性積層体を含む、またはこのストレッチボンディングされた弾性積層体で構成されている。前面パネル３は、パンツ型吸収性物品１の長手方向Ｙに、前面脚部縁部２３からウエスト縁部２１まで延びている。図１ａの例においては、前面パネル３には、パンツ型吸収性物品１のウエスト部分４２に付着された追加の弾性要素７０の形態の弾性ウエスト機能部が設けられている。背面パネル４における材料もまた、本明細書に開示されている弾性積層体であることが好ましく、前面パネル材料と同じ構造を有することができる。
【００６７】
図１ｂにおける物品の単体シャーシ内の前面パネル３および背面パネル４における材料は、図１ａを参照して説明したのと同じ構造を有することができる。
【００６８】
前面パネル３および背面パネル４の形状は、特定の使用者カテゴリにフィットするように変更してもよい。たとえば、前面パネル３および背面パネル４のうちの一方または両方は、実質的に長方形の形状を有することができる。その上、前面パネル３および／または背面パネル４の脚部縁部領域は、脚部に対する適合性をより良くするようになされている湾曲した形状部を有することができる。図１ａおよび図１ｂに示されているように、背面パネル４は、パンツ型吸収性物品の長手方向Ｙに、前面パネル３よりも大きく延びていることができる。しかしながら、前面パネル３および背面パネル４は、長手方向Ｙに等しく延びていてもよい。概してあまり好ましくはないが、前面パネル３は、パンツ型吸収性物品の長手方向Ｙに、背面パネル４よりも大きく延びていてもよい。
【００６９】
本明細書に説明するように、本開示による目的は、異なる使用者間の生体構造およびサイズの差を考慮しながら、また低い製作費用を維持しながら、快適性およびフィット性を向上させ、ならびに個別の下着のような視覚的外観を伴う吸収性物品を提供することを目的として、少なくとも２サイズの吸収性物品のアレイを提供することである。
【００７０】
本明細書に開示されている方法は、異なるサイズを有する少なくとも第１のパンツ型物品および第２のパンツ型物品を含む使い捨てパンツ型物品のアレイを製造するための方法である。この方法は、アレイにおけるパンツ型物品の数に対応するいくつかの異なる工程を含み、すべての工程は、連続弾性ウェブ、および少なくとも１つの非弾性またはより低弾性のウェブを含むストレッチボンディングされた積層体ウェブを形成するステップと、ストレッチボンディングされた積層体ウェブを含む相互連結された原型物品からなる複合ウェブを形成するステップと、複合ウェブを原型物品間に形成された側方接合部において断ち切ることによって、複合ウェブから個々のパンツ型物品を分離するステップとを含む。
【００７１】
方法に含まれている異なる工程においては、連続弾性ウェブは、弾性特性に関して異なる工程間で異なる一方、ストレッチボンディングされた弾性積層体ウェブ（３１）のピッチ長さは、方法のすべての連続工程で同じである。
【００７２】
図２を参照すると、ストレッチボンディングされた積層体ウェブ３１を製作するための工程の極めて概略的な図が示されており、この方法は、弾性的にストレッチ可能である連続弾性ウェブ３２を機械方向ＭＤに供給するステップと、連続弾性ウェブ３２を機械方向ＭＤに移動させるステップと、連続弾性ウェブ３２を機械方向にストレッチするステップと、ストレッチされた連続弾性ウェブ３２を、ストレッチされた状態で保持しながら非弾性またはより低弾性のウェブ３３にボンディングして、ストレッチボンディングされた弾性積層体ウェブ３１を形成するステップとを含む。図２においては、ストレッチボンディングされた弾性積層体ウェブ３１は、さらなる非弾性またはより低弾性のウェブ３４を含むように示されており、このウェブ３４もまた、連続弾性ウェブ３２にストレッチボンディングされ、それにより、連続弾性ウェブ３２が２つの非弾性またはより低弾性のウェブ３３、３４間に挟まれることになる。さらなる非弾性またはより低弾性のウェブ３４は、本明細書に開示されている工程にとってオプションである。非弾性またはより低弾性のウェブもしくは複数のウェブ３３、３４は、繊維状の非不織布ウェブとすることができ、連続弾性ウェブ３２は、弾性フィルムとすることができる。連続弾性ウェブ３２は、機械方向ＭＤに垂直な交差機械方向ＣＤにもストレッチ可能、または弾性的にストレッチ可能とすることができ、ストレッチボンディング工程は、連続弾性ウェブ３２を交差機械方向ＣＤにストレッチすることを含むことができる。
【００７３】
ストレッチボンディングされた弾性積層体ウェブは、繊維状材料からなる第１の外側層および第２の外側層と、繊維状層間に位置決めされた弾性フィルムとで構成され得る。ストレッチボンディングされた弾性積層体ウェブは、第１の繊維状層および第２の繊維状層のうちの一方または両方に積層された１つまたは複数の追加の繊維状層を含むことができる。そのような追加の繊維状層は、弾性積層体の一部にのみ存在し得る。したがって、弾性積層体は、その範囲にわたってすべて同一である必要はなく、異なる範囲内に異なる層を含んでもよい。
【００７４】
弾性フィルムの形態の連続弾性ウェブには、フィルムの両方の表面に繊維状の不織布ウェブが設けられることが好ましい場合がある。本明細書に開示されているように、ストレッチボンディングされた不織布−フィルム−不織布の積層体ウェブは、代替としては、たとえば漸増的なストレッチングを含む、ストレッチボンディング以外の方法によって製造された不織布ウェブを、たとえば、不織布ウェブと弾性フィルムとの弾性的にストレッチ可能な二重の積層体にストレッチボンディングすることによって製造され得る。
【００７５】
外側の繊維状不織布層を有するストレッチボンディングされた弾性積層体ウェブ３１は、本明細書に開示されているパンツ型物品のシャーシの前面パネル、背面パネル、および股部分の少なくとも一部を覆って外側カバーシート材料ならびに内側カバーシート材料として構成されるのに極めて適している。ストレッチボンディングされた弾性積層体ウェブは、平らな状態で見たとき、パンツ型物品の総表面積の少なくとも２０％、好ましくは少なくとも２５％、より好ましくは少なくとも３０％、最も好ましくは少なくとも４０％でシャーシの単独構成要素を構成し得る。
【００７６】
弾性積層体は、物品の股部分の全部または実質的な一部に存在しなくてもよい。股パネル材料が、その衣類側の吸収性組立体の少なくとも一部の下に敷かれていてもよい。股パネル材料は、非弾性ウェブ材料とすることができるが、弾性材料を使用してもよい。股パネル材料は、不織布材料であると適切である。股パネル材料は、弾性積層体に接合されている。
【００７７】
図３を参照すると、たとえば図１ａに示されている２ピースシャーシ９’を有するパンツ型吸収性物品１の製作は、完成した吸収性物品１の前身頃パネル３および後身頃パネル４を形成するストレッチボンディングされた積層化弾性ウェブ３１’、３１”からなる２つの平行な連続ストリップを製作することによって、およびストレッチボンディングされた積層化弾性ウェブ３１’、３１”からなる連続ストリップを、コアインサート２などの股材料と間欠的に連結することによって行うことができる。
【００７８】
最終的なパンツ型物品の脚部開口の所望の形状に応じて、ウェブ材料は、パンツ構成に組み立てられたとき、より下着のような外観をもたらすように切断および成形され得る。
【００７９】
別個に作製されたコアインサート２は、ストレッチボンディングされた弾性積層体ウェブからなるストリップ３１’、３１”間の間隙に置かれるが、ストリップ３１’、３１”は、依然として張力のかかった状態にあり、それにより、コアインサート２は、ストレッチボンディングされた弾性積層体ウェブからなる両方のストリップ３１’、３１”に部分的に重なり合う。吸収性インサート２は、本明細書に提示されているように、任意の適切な方法によってストリップ３１’、３１”に固着される。
【００８０】
このようにして、物品構成要素の複合ウェブ３５が形成され、複合ウェブ３５は、脚部開口８を内部に配置し相互連結された原型物品３６からなる連続ウェブを構成する。本明細書に提示されているように、複合ウェブ３５は、シャーシ構成要素としてストレッチボンディングされた弾性積層体ウェブ３１’、３１”を含む。図３の右側部に示されているように、複合ウェブ３５は、複合ウェブ３５の中心に沿って機械方向ＭＤに延びる折り目線Ｌに沿って折り畳まれる。
【００８１】
複合ウェブ３５が折り畳まれた後、側方接合部が、折り畳まれた複合ウェブ３５において形成され、個々のパンツ型物品１が、複合ウェブ３５を側方接合部６ａ、６ｂにおいて断ち切ることによって、複合ウェブから分離される。
【００８２】
図３によって示されているように、側方接合部は、個々の原型物品３６間の単一の幅広の接合部６ａ、ｂとして製造され得、その接合部６ａ、ｂは、原型物品３６からなる連続ウェブ３５から、完成したパンツ型物品１を分離したとき、２つのパーツ６ａ、６ｂに分割される。代替としては、図４に示されているように、２つの別個の側方接合部６ａ、６ｂは、個々の原型物品３６間に並んで形成されてもよく、その後、原型物品３６からなる連続ウェブ３５は、２つの側方接合部６ａ、６ｂ間で断ち切られる。
【００８３】
個々のパンツ型物品１が複合ウェブ３５から分離されたとき、前面パネル３および背面パネル４の積層化された弾性ウェブは、ストレッチされた状態ではもはや保持されない。それによって、前面パネルおよび背面パネルにおけるストレッチボンディングされた弾性ウェブ材料は、弾性ウェブ材料にボンディングされている非弾性またはより低弾性のウェブ材料内で、ウェブ材料にひだ付けし、すなわち縮ませ、凹凸またはしわを形成することになる。
【００８４】
図４に概略的に示されている工程は、単体シャーシを有するパンツ型吸収性物品の製造を示している。図４においては、物品構成要素の複合ウェブ３５が、ストレッチボンディングされた弾性積層体ウェブ３１を機械方向ＭＤに移動させ、移動しているストレッチボンディングされた弾性積層体ウェブ３１にコアインサート２を間欠的にあてがい、コアインサート２間の脚部開口８を切り取ることによって、形成される。物品構成要素の複合ウェブ３５は、続いて、機械方向ＭＤに延びる折り目線Ｌに沿って折り畳まれる。
【００８５】
複合ウェブ３５が折り畳まれた後、側方接合部が、折り畳まれた複合ウェブ３５において形成され、個々のパンツ型物品１が、図４の右側部によって示されているように、複合ウェブ３５を側方接合部６ａ、６ｂにおいて断ち切ることによって、複合ウェブから分離される。
【００８６】
図４における工程は、非弾性またはより低弾性の層もしくは複数の層３３、３４と同一の広がりをもつ弾性ウェブ３２を含むストレッチボンディングされた弾性積層体ウェブ３１の使用を含んでいるが、弾性ウェブ材料が、交差機械方向ＣＤに連続している必要はないことを理解されたい。例として、弾性ウェブは、完成したパンツ型物品における前面パネル３および背面パネル４に対応するストレッチボンディングされた弾性積層体ウェブ３１の範囲のうちの一方または両方にあてがうことしかできない。さらには、単体シャーシを有する吸収性パンツ型物品を製造する工程は、外側弾性カバー材料を内側ライナ材料にストレッチボンディング中に、非弾性またはより低弾性の内側ライナ材料と、外側弾性カバー材料との間に吸収性コア、バリア層、取込層、脚部弾性要素などをあてがうことによって製造され得る。
【００８７】
本明細書に開示されている方法は、パンツ型物品のアレイの製造を含み、このアレイは、サイズの異なる少なくとも２つの物品を含む。この方法においては、アレイにおける異なったサイズの物品は、異なる工程によって製造され、各工程は、連続弾性ウェブを非弾性またはより低弾性のウェブにストレッチボンディングするステップを含む。異なる各連続工程においては、連続弾性ウェブは、アレイの異なるサイズのパンツ型物品を製作するのに使用されるあらゆる他の連続工程での連続弾性ウェブと異なる。方法における異なる工程の連続弾性ウェブは、弾性特性に関して、互いに異なるが、ストレッチボンディングされた弾性積層体ウェブのピッチ長さは、異なる連続工程すべてにおいて同じである。
【００８８】
試験方法についての説明
弾性試験
この方法では、弾性材料が、繰り返される荷重および脱荷重の周期において、どのように振舞うかについて測定される。サンプルは、所定の伸長までストレッチされ、０と前記所定の伸長との間の周期運動が行われる。所望の荷重および脱荷重の力が記録される。弛緩された材料の恒久的な、すなわち残存する伸長が測定される。
【００８９】
周期運動を行うことができ、プリンタ／プロッタ、またはソフトウェア表示を備えた引張試験機、ＬｌｏｙｄのＬＲＸが使用される。サンプルは、それを幅２５ｍｍ、および引張試験機のクランプ間の距離よりも好ましくは２０ｍｍ長い長さに切断することによって繰り返される。
【００９０】
引張試験機は、装置指示に従って較正される。試験に必要なパラメータ（荷重および脱荷重の力）は、
−  クロスヘッド速度：  ５００ｍｍ／分
−  クランプ距離：  ５０ｍｍ
−  予荷重：  ０．０５Ｎ
に調整される。
【００９１】
サンプルは、印に従ってクランプ内に置かれ、サンプルＩがクランプ内の中心に置かれ、固定されたことが確認される。引張試験機は、開始され、０と最も高く規定された第１の荷重に等しい所定の伸長との間で３周期が行われる。最後の周期の前に、サンプルは、１分間弛緩され、次いで、恒久的な伸長は、０．１Ｎの力が検出され伸長が読み取られるまで、サンプルをストレッチすることによって測定される。
【００９２】
弾性材料は、材料が上記の試験で３０％の伸長を受けた後、１０％未満の弛緩後の恒久的伸長を有する材料として定義される。３０％の伸長とは、サンプルの初期長さよりも３０％長い長さまで伸長することを意味する。
【００９３】
非弾性材料は、３０％の伸長を受けた後、１０％超の弛緩後の恒久的伸長を有する。
【００９４】
身頃部分外周試験
図５は、パンツ型物品１の延ばされた状態の身頃部分４３の外周の測定に使用される試験装置を概略的に示している。
【００９５】
パンツ型物品１の延ばされた状態の身頃部分４３の外周の測定は、任意の適切な引張試験機を使用することによって行うことができる。下記の実験データを得るのに使用された引張試験機は、Ｉｎｓｔｒｏｎのモデル４４６４であり、これには、直径６０ミリメートルの、パンツ型物品１の長手方向Ｙに配向された平行な上側と下側の管形成シリンダ９１が備えられている。管形成シリンダは、低摩擦をもたらす円滑な表面を含むブランク研磨されたＳＳ２３３３ステンレス鋼で作られており、それにより、パンツ型物品は、管形成シリンダの表面に粘着しなくなる。シリンダ９１間の距離９２は、パンツ型物品１の自然な弛緩された幅に対応するように初期設定され、それにより、パンツ型物品は、シリンダ９１がパンツ型物品１の内側に置かれシリンダ９１が側方継ぎ目６ａ、６ｂの少なくとも全長にわたって延びている状態で、シリンダ９１において延ばされていない状態で取り付けることができる。シリンダ９１は、続いて、横方向Ｘに離れるように引っ張られる。試験は、２００ｍｍ／分の一定速度で最大で９０ニュートンの引張力まで行われ、ここでは、引張試験機は、少なくとも３、１０、３０、および９０ニュートンにおいてデータをプロットし、および／またはサンプリングするようにプログラミングされた。
【００９６】
測定については、新規製品が、パッケージから取り出され、展開された。試験結果は、５つの被試験製品の平均結果に基づいている。シリンダ９１の中心間の距離９２は、指定された力を逆方向９３にかけたとき、測定された。吸収性物品１の延ばされている状態の身頃部分４３の外周は、シリンダ９１の中心間の距離９２とシリンダ９１の直径６０ミリメートルにπを乗じたものとを足して二倍したものに対応する。身頃部分４３の外周は、３、１０、３０、および９０ニュートンにおいて測定される。
【００９７】
パンツ型物品のアレイにおけるパンツ型物品の身頃部分の異なる延びにおける外周間の比較は、説明の試験方法に従って３Ｎ、１０Ｎ、３０Ｎ、および９０Ｎにおいて行われるべきである。いずれのウエスト弾性部も、身頃部分外周の測定が行われる前に切り離すべきである。
【００９８】
例
２つの異なるパンツ型物品ＡおよびＢが製造され、本明細書に開示の身頃部分外周試験に従って試験された。被試験物品Ａは、Ｍサイズの物品として使用されるのに適しており、被試験物品Ｂは、Ｓサイズの物品として使用されるのに適している。
【００９９】
被試験物品は両方とも、２つのスパンボンド不織布ウェブ間でストレッチボンディングされた弾性フィルムのストレッチボンディングされた積層体から作られている前面パネルおよび背面パネルを有するシャーシを備えた同じ構成をしている。被試験物品間の唯一の違いは、試験物品Ａにおける弾性フィルムは、Ｅｘｔｅｎ  Ｓ．Ａ．によって提供される弾性ポリオレフィンコアとポリオレフィン皮膚層との共押出フィルムであるＥｘｔｒｅｔｃｈ  ＭＤであり、試験物品Ｂにおける弾性フィルムは、Ｔｒｅｄｅｇａｒ  Ｃｏｒｐｏｒａｔｉｏｎによって提供されるＳＢＣを含む弾性コアとポリオレフィンエラストマーおよびポリオレフィン皮膚層との共押出フィルムであるＣＥＸ−６１４であったことである。
【０１００】
試験の結果は、図６におけるグラフに示されており、下側の曲線Ｍは、試験物品Ａの力／延びを示し、上側曲線Ｓは、試験物品Ｂの力／延びを示している。図６でわかり得るように、試験物品Ａの１０ニュートンでの外周は、１０ニュートンでの試験物品Ｂの外周よりも約４０％大きく、試験物品Ａの３０ニュートンでの外周は、３０ニュートンでの試験物品Ｂの外周よりも約３５％大きく、試験物品Ａの９０ニュートンでの外周は、９０ニュートンでの試験物品Ｂの外周よりも約３％大きい。
【符号の説明】
【０１０１】
１  パンツ型吸収性物品
２  コアインサート、吸収性インサート
３  前面パネル、前見頃パネル
４  背面パネル、後見頃パネル
５  吸収性コア
６ａ、６ｂ  側方継ぎ目、側方接合部
７  ウエスト開口
８  脚部開口
９’  ２ピースシャーシ
９”  単体シャーシ
１０  股部分
１１  端部部分
２１  ウエスト縁部
２３  前面脚部縁部
２６  ウエスト縁部
３１  ストレッチボンディングされた弾性積層体ウェブ
３１’、３１”  ストレッチボンディングされた積層化弾性ウェブからなる連続ストリップ、ストレッチボンディングされた弾性積層体ウェブ
３２  連続弾性ウェブ
３３、３４  非弾性またはより低弾性のウェブ
３５  複合ウェブ、連続ウェブ
３６  原型物品
４２  ウエスト部分
４３  身頃部分
７０  追加の弾性要素
９１  シリンダ
９２  距離
Ａ、Ｂ  パンツ型物品、試験物品
Ｌ  折り目線
Ｙ  長手方向
Ｘ  短手方向
ＣＤ  交差機械方向
ＭＤ  機械方向
【図１ａ】
2021532934.tif 000003
【図１ｂ】
2021532934.tif 000004
【図２】
2021532934.tif 000005
【図３】
2021532934.tif 000006
【図４】
2021532934.tif 000007
【図５】
2021532934.tif 000008
【図６】
2021532934.tif 000009
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
吸収性コア（５）を含む吸収性パンツ型物品（１）のアレイなどのパンツ型物品（１）のアレイであって、パンツ型物品の前記アレイが、第１のパンツ型物品および第２のパンツ型物品を含み、前記第１のパンツ型物品および前記第２のパンツ型物品のそれぞれがシャーシ（９’、９”）を含み、前記シャーシが、前面パネル（３）、背面パネル（４）、および前記前面パネル（３）と前記背面パネル（４）との間の股部分（１０）を含み、前記前面パネル（３）が、ウエスト縁部（２１）および１対の側方縁部を有し、前記背面パネル（４）が、ウエスト縁部（２６）および１対の側方縁部を有し、前記前面パネル（３）および前記背面パネル（４）の前記側方縁部が、第１の側方継ぎ目（６ａ）および第２の側方継ぎ目（６ｂ）において接合されており、それによって、前記パンツ型物品（１）が、ウエスト開口（７）、ならびに第１のおよび第２の脚部開口（８）を有する、パンツ型物品（１）のアレイにおいて、
前記第１のパンツ型物品および前記第２のパンツ型物品がそれぞれ、ストレッチボンディングされた弾性積層体ウェブ（３１）を含み、前記ストレッチボンディングされた弾性積層体ウェブ（３１）が、弾性ウェブおよび非弾性またはより低弾性のウェブを含み、前記第１のパンツ型物品の前記弾性ウェブが、
物理的構造、
ポリマー組成、
目付、
厚さ、
恒久歪、
前記弾性ウェブの機械方向（ＭＤ）における配向の程度
から選択される１つまたは複数の側面において、前記第２のパンツ型物品の前記弾性ウェブと異なっており、前記ストレッチボンディングされた弾性積層体ウェブ（３１）が、前記シャーシ（９’、９”）の前記前面パネル（３）および／または前記背面パネル（４）の少なくとも一部にわたって前記第１の側方継ぎ目（６ａ）から前記第２の側方継ぎ目（６ｂ）に延び、本明細書に開示されている身頃部分外周試験によって測定されるとき、前記アレイにおける前記第１のパンツ型物品の１０ニュートンでの身頃部分外周が、１０ニュートンでの前記アレイにおける前記第２のパンツ型物品の身頃部分外周よりも少なくとも２０％大きく、前記アレイにおける前記第１のパンツ型物品の３０ニュートンでの身頃部分外周が、３０ニュートンでの前記アレイにおける前記第２のパンツ型物品の身頃部分外周よりも少なくとも２０％大きく、または少なくとも２５％大きく、前記アレイにおける前記第１のパンツ型物品の９０ニュートンでの身頃部分外周が、９０ニュートンでの前記アレイにおける前記第２のパンツ型物品の身頃部分外周よりも１０％未満だけ大きいことを特徴とする、
パンツ型物品（１）のアレイ。
【請求項２】
前記ストレッチボンディングされた弾性積層体ウェブ（３１）が、平らな状態で見たとき、前記パンツ型物品の総表面積の２０％〜１００％、好ましくは２５％〜１００％、より好ましくは３０％〜１００％、最も好ましくは４０％〜１００％で前記シャーシの単独構成要素を構成している、請求項１に記載のパンツ型物品（１）のアレイ。
【請求項３】
前記第１のパンツ型物品および前記第２のパンツ型物品がそれぞれ、２ピースシャーシ（９’）を含む、請求項１または２に記載のパンツ型物品（１）のアレイ。
【請求項４】
前記第１のパンツ型物品および前記第２のパンツ型物品がそれぞれ、単体シャーシ（９”）を含む、請求項１または２に記載のパンツ型物品（１）のアレイ。
【請求項５】
パンツ型物品（１）のアレイのためのパンツ型物品（１）を製造するための方法であって、パンツ型物品（１）の前記アレイが、サイズの異なる第１のパンツ型物品（１）および第２のパンツ型物品（１）を含み、前記方法が、前記第１のパンツ型物品（１）を製造するための第１の連続工程および前記第２のパンツ型物品（１）を製造するための第２の連続工程を含み、前記第１の連続工程および前記第２の連続工程がそれぞれ、
連続弾性ウェブ（３２）を供給し、前記連続弾性ウェブ（３２）を機械方向（ＭＤ）に移動させるステップであって、前記連続弾性ウェブ（３２）が、前記機械方向（ＭＤ）に弾性的にストレッチ可能である、ステップと、
前記連続弾性ウェブ（３２）を前記機械方向（ＭＤ）にストレッチするステップと、
前記ストレッチされた連続弾性ウェブ（３２）を、前記ストレッチされた状態で保持しながら非弾性またはより低弾性のウェブ（３３、３４）にボンディングして、ストレッチボンディングされた弾性積層体ウェブ（３１）を形成するステップと、
物品構成要素の複合ウェブ（３５）を形成するステップであって、前記複合ウェブが、内部に配置された脚部開口（８）を有する連続ウェブであって相互連結された原型物品（３６）からなる連続ウェブを構成し、前記複合ウェブ（３５）が、シャーシ構成要素として前記ストレッチボンディングされた弾性積層体ウェブ（３１）を含む、ステップと、
前記機械方向（ＭＤ）に前記複合ウェブ（３５）に沿って延びる折り目線（Ｌ）に沿って、前記複合ウェブを折り畳むステップと、
前記折り畳まれた複合ウェブ（３５）において側方接合部（６ａ、６ｂ）を形成するステップと、
前記複合ウェブ（３５）を前記側方接合部（６ａ、６ｂ）において断ち切ることによって、前記複合ウェブ（３５）から個々のパンツ型物品（１）を分離するステップと
を含む方法において、
前記第１の連続工程における前記連続弾性ウェブ（３２）が、
物理的構造、
ポリマー組成、
目付、
厚さ、
恒久歪、
前記弾性ウェブの前記機械方向（ＭＤ）における配向の程度
から選択される１つまたは複数の側面において、前記第２の連続工程における前記連続弾性ウェブ（３２）と異なり、前記ストレッチボンディングされた弾性積層体ウェブ（３１）のピッチ長さが、前記第１の連続工程および前記第２の連続工程において同じであることを特徴とする、
方法。
【請求項６】
物品構成要素の前記複合ウェブ（３５）を形成するステップが、
前記機械方向（ＭＤ）における第１の連続ウェブとしての前記ストレッチボンディングされた弾性積層体ウェブ（３１’）を、前記第１の連続ウェブ（３１’）から前記機械方向（ＭＤ）に垂直な交差機械方向（ＣＤ）に距離を置いて配置された第２の連続ウェブ（３１”）と並んで移動させるステップであって、前記第１の連続ウェブ（３１’）と前記第２の連続ウェブ（３１”）との間に間隙がある、ステップと、
股材料（２）を前記第１の連続ウェブ（３１’）および前記第２の連続ウェブ（３１”）に付着することによって、前記第１の連続ウェブ（３１’）を前記第２の連続ウェブ（３１”）に間欠的に連結するステップであって、前記股材料（２）が、前記第１の連続ウェブ（３１’）と前記第２の連続ウェブ（３１”）との間の前記間隙を跨ぎ、前記第２の連続ウェブ（３１”）が、非弾性または弾性のウェブである、ステップと
を含む、請求項５に記載の方法。
【請求項７】
物品構成要素の前記複合ウェブ（３５）を形成するステップが、
前記ストレッチボンディングされた弾性積層体ウェブ（３１）を前記機械方向（ＭＤ）に移動させるステップと、
前記ストレッチボンディングされた弾性積層体ウェブ（３１）において脚部開口（８）を間欠的に切り取るステップと
を含む、請求項５に記載の方法。
【請求項８】
前記弾性ウェブ（３２）が、ストレッチボンディング中、初期のストレッチされていない長さの少なくとも９０％、たとえば、初期のストレッチされていない長さの最大で１５０％まで、好ましくは、初期のストレッチされていない長さの最大で３００％まで、最も好ましくは、初期のストレッチされていない長さの最大で５００％までなど、前記機械方向（ＭＤ）にストレッチされる、請求項５から７のいずれか一項に記載の方法。
【請求項９】
前記ストレッチされた弾性ウェブ（３２）が、前記非弾性またはより低弾性のウェブ（３３、３４）に、コーティング、吹付け、押出しまたはメルトブローイングを用いて、一方のまたは両方のウェブに塗布される接着剤を用いてボンディングされ、あるいは前記ストレッチされた弾性ウェブが、前記非弾性またはより低弾性のウェブに、超音波溶着またはサーモボンディングを用いてボンディングされる、請求項５から８のいずれか一項に記載の方法。
【請求項１０】
前記物品構成要素が、
吸収性のコアまたはコアインサート、
ウエスト弾性部材、
脚部弾性部材、
内側ライナ
取込層、
バリア層、
バリアカフ、および
ファスナ要素
のうちの１つまたは複数を含む、請求項５から９のいずれか一項に記載の方法。
【請求項１１】
前記連続弾性ウェブ（３２）が、弾性フィルム、好ましくは、有孔弾性フィルムまたは微小多孔弾性フィルムなどの通気性のある弾性フィルムを含むか当該弾性フィルムから成り、および／または前記非弾性もしくはより低弾性のウェブが、カーディングされたボンディング不織布ウェブ、スパンボンド不織布ウェブ、またはクレーピングされた不織布ウェブなどの不織布ウェブである、請求項５から１０のいずれか一項に記載の方法。
【請求項１２】
前記連続弾性ウェブ（３２）が、弾性フィルムと不織布ウェブとを含む積層体である、請求項１１に記載の方法。
【請求項１３】
吸収性コアを含む吸収性パンツ型物品のアレイなどのパンツ型物品のアレイであって、第１のパンツ型物品および第２のパンツ型物品を含み、請求項５から１２のいずれか一項に記載の方法に従って製造され、前記第１のパンツ型物品が、前記第２のパンツ型物品とはサイズが異なる、パンツ型物品のアレイ。
【請求項１４】
本明細書に開示されている身頃部分外周試験によって測定されるとき、前記アレイにおける前記第１のパンツ型物品の１０ニュートンでの身頃部分外周が、１０ニュートンでの前記アレイにおける前記第２のパンツ型物品の身頃部分外周よりも少なくとも２０％大きく、前記アレイにおける前記第１のパンツ型物品の３０ニュートンでの身頃部分外周が、３０ニュートンでの前記アレイにおける前記第２のパンツ型物品の身頃部分外周よりも少なくとも２０％大きく、または少なくとも２５％大きく、前記アレイにおける前記第１のパンツ型物品の９０ニュートンでの身頃部分外周が、９０ニュートンでの前記アレイにおける前記第２のパンツ型物品の身頃部分外周よりも１０％未満だけ大きい、請求項１３に記載のパンツ型物品のアレイ。
【国際調査報告】
2021532934.tif 000010
2021532934.tif 000011
2021532934.tif 000012
2021532934.tif 000013
2021532934.tif 000014